(57)【要約】【課題】ＧＩＳの主題図の表示内容の設定時の入力作業を効率化したＧＩＳ表示装置を得る。【解決手段】地図上に主題図を表示するための設定を行うに当たって、設定のための入力項目が配置された入力画面上で行われた入力操作を、入力履歴登録機能１３によって入力履歴として登録しておき、設定を行うための入力画面を作成する際には、入力履歴学習機能１４によって、入力履歴を解析し、入力項目の表示頻度や入力項目間の関連を学習し、この学習結果を利用して、画面制御機能１５が入力項目を配置した入力画面を作成するようにして、入力項目が沢山ある場合でも、入力作業を簡易化できるようにした。【選択図】図１
2011242726.tif 000002
【特許請求の範囲】
【請求項１】
地図上に主題図を表示するための設定を行うに当たって、上記設定のための入力項目が配置された入力画面上で行われた入力操作を、入力履歴として登録する入力履歴登録手段、
この入力履歴登録手段によって登録された上記入力履歴を用いて、上記入力操作を解析し、入力項目の利用のされ方を学習する入力履歴学習手段、
この入力履歴学習手段によって学習された上記入力項目の利用のされ方に基づき、上記入力画面への入力項目の配置を制御する画面制御手段を備えたことを特徴とするＧＩＳ表示装置。
【請求項２】
上記入力画面に配置される入力項目は、地域を選択するための項目、主題を選択するための項目、及び表現種別を選択するための項目を含むことを特徴とする請求項１記載のＧＩＳ表示装置。
【請求項３】
上記入力履歴学習手段は、主題と表現種別との間の関連に基づき、上記主題に対する上記表現種別の表示順序を制御することを特徴とする請求項２記載のＧＩＳ表示装置。
【請求項４】
上記入力履歴学習手段は、上記学習を業務別に行うことを特徴とする請求項１〜請求項３のいずれかに記載のＧＩＳ表示装置。
【請求項５】
上記入力履歴学習手段は、上記学習を期間ごとに行うことを特徴とする請求項１〜請求項４のいずれかに記載のＧＩＳ表示装置。
【請求項６】
上記入力履歴登録手段によって登録された上記入力履歴を用いて、上記主題図表示のための主題データを、インターネットを介して取得するようにしたことを特徴とする請求項１〜請求項５のいずれかに記載のＧＩＳ表示装置。
【請求項７】
上記入力履歴登録手段によって登録された上記入力履歴を用いて、他システムからの警報に基づき、上記主題図表示を行うようにしたことを特徴とする請求項１〜請求項６のいずれかに記載のＧＩＳ表示装置。
【発明の詳細な説明】
【技術分野】
【０００１】
この発明は、ＧＩＳ（Ｇｅｏｇｒａｐｈｉｃ  Ｉｎｆｏｒｍａｔｉｏｎ  Ｓｙｓｔｅｍ）の主題図の表示内容の設定作業を簡易化したＧＩＳ表示装置に関するものである。
【背景技術】
【０００２】
地理情報システムであるＧＩＳの主題図の表示内容の設定では、地図の上で、どの範囲（例、鎌倉市）で、何を主題として（例：人口、雨量等）、どのように表示するか（例：グラフ、シンボルの色や大きさ、地域毎の色分け等）、何を同時に表示するか（例：地域毎色分けとシンボル１種、地域毎色分けとシンボル１種とグラフ１種）等を設定する必要があり、この設定作業には非常に手間がかかるという問題がある。
また、主題図の元となる主題データは、ユーザが手作業で最新データに更新する必要があり、このため、更新されない場合に、最新のデータが利用できない可能性を含んでいる。
特許文献１には、開発期間が短く開発コストが少ない地図情報システムであって、地図基本コアとオブジェクトの描画を管理する描画コアと、地図データなどとのインタフェース機能を有するデータコアなどのコアプログラムを適用業務に共通に利用し、これと顧客管理エンジンなどのエンジンプログラムを組み合わせて、個有適用業務プログラムを開発するものが記載されている。
【先行技術文献】
【特許文献】
【０００３】
【特許文献１】特開平１１−３３８３４４号公報（第４〜１０頁、図１）
【発明の概要】
【発明が解決しようとする課題】
【０００４】
従来のＧＩＳの主題図の表示内容の設定作業では、大量にある入力項目を設定内容によりグループ分けし、このグループ毎画面の遷移により入力させる必要があった。
この場合、場合によっては不要な入力項目もあり、不要な画面遷移が発生する問題がある。
また、従来は、主題と表現種別を操作者が選択、かつ、複数の主題と表現種別を同時に表示し、地図上から多様な解析を行う場合に、最適な表現を実施するまでに手間がかかるという問題があった。
特許文献１のものでは、開発を効率化するものであり、主題図表示のための設定入力を効率化するものではなかった。
【０００５】
この発明は、上述のような課題を解決するためになされたものであり、ＧＩＳの主題図の表示内容の設定時の入力作業を効率化したＧＩＳ表示装置を得ることを目的としている。
【課題を解決するための手段】
【０００６】
この発明に係わるＧＩＳ表示装置においては、地図上に主題図を表示するための設定を行うに当たって、設定のための入力項目が配置された入力画面上で行われた入力操作を、入力履歴として登録する入力履歴登録手段、この入力履歴登録手段によって登録された入力履歴を用いて、入力操作を解析し、入力項目の利用のされ方を学習する入力履歴学習手段、この入力履歴学習手段によって学習された入力項目の利用のされ方に基づき、入力画面への入力項目の配置を制御する画面制御手段を備えたものである。
【発明の効果】
【０００７】
この発明は、以上説明したように、地図上に主題図を表示するための設定を行うに当たって、設定のための入力項目が配置された入力画面上で行われた入力操作を、入力履歴として登録する入力履歴登録手段、この入力履歴登録手段によって登録された入力履歴を用いて、入力操作を解析し、入力項目の利用のされ方を学習する入力履歴学習手段、この入力履歴学習手段によって学習された入力項目の利用のされ方に基づき、入力画面への入力項目の配置を制御する画面制御手段を備えたので、地図上に主題図を表示するための設定時の入力作業を簡易化することができる。
【図面の簡単な説明】
【０００８】
【図１】この発明の実施の形態１によるＧＩＳ表示装置を示す構成図である。
【図２】この発明の実施の形態１によるＧＩＳ表示装置の入力履歴学習機能を用いない場合の画面遷移を示す図である。
【図３】この発明の実施の形態１によるＧＩＳ表示装置の入力履歴登録機能を説明する説明図である。
【図４】この発明の実施の形態１によるＧＩＳ表示装置の入力履歴データを示す図である。
【図５】この発明の実施の形態１によるＧＩＳ表示装置の入力履歴学習機能と画面制御機能を説明する説明図である。
【図６】この発明の実施の形態１によるＧＩＳ表示装置の入力履歴学習機能のロジックを示す図である。
【図７】この発明の実施の形態１によるＧＩＳ表示装置の画面制御機能のロジックを示す図である。
【図８】この発明の実施の形態４によるＧＩＳ表示装置の入力履歴データを用いた主題データの自動更新を示す図である。
【図９】この発明の実施の形態５によるＧＩＳ表示装置の他システムとの連携を示す図である。
【発明を実施するための形態】
【０００９】
実施の形態１．
以下、この発明の実施の形態１を図１〜６に基づいて説明する。
図１は、この発明の実施の形態１によるＧＩＳ表示装置を示す構成図である。
図１において、ＧＩＳ表示装置１１は、入力画面１２により、主題図の表示内容の設定に必要な事項を入力し、主題図表示の設定を行う。入力する項目が大量にある場合には、入力画面１〜３等に分割した画面構成となり、順番に遷移して必要事項の入力を行う。
このＧＩＳ表示装置１１は、次のように構成されている。
入力履歴登録機能１３は、入力された操作、内容を入力履歴１７に登録する。入力履歴学習機能１４は、同様な操作が発生した時、入力履歴１７から次の操作に必要な情報を抽出する。この入力履歴学習機能１４は、入力画面に配置された入力項目の表示頻度や、入力項目間の関連を調べて、再利用できるように学習する。
画面制御機能１５は、入力履歴学習機能１４によって抽出された情報により、入力画面１２に表示する入力項目の配置を制御する。
【００１０】
図２は、この発明の実施の形態１によるＧＩＳ表示装置の入力履歴学習機能を用いない場合の画面遷移を示す図である。
図２においては、図１の入力画面１２の画面遷移を示している。入力画面２１は、横浜市、川崎市などのエリアを指定する画面である。エリアを示す入力項目３３を選択して指定を行う。この画面は、選択方式ではなく、ＧＩＳ上で矩形等により範囲を指定するケースもある。入力画面２２は、人口や雨量などの主題を選択する画面である。入力画面２３は、グラフ種別などの主題の表現種別を選択する画面である。
入力画面２４は、入力画面２３で選択された主題の表現種別の詳細項目を設定する画面であり、図では、地域毎色分けの例を示している。数値の入力エリア２５、２７は数値を入力し、範囲を設定するエリア２６、２８は、以上、以下、未満、より上、イコール等を入力または選択して、範囲を設定する。エリア２９は、該当範囲の色を設定する。すなわち、エリア２５〜２８で範囲を指定し、エリア２９でその範囲の表示色を指定するようになっている。この入力画面２４は、入力画面２３の表現種別毎に存在する。
【００１１】
主題の重ね合わせ入力画面３０は、主題を重ね合わせするかどうかを決める画面であり、Ｙｅｓの場合は、重ね合わせる主題をさらに選択するために入力画面２２に戻り、他の主題や種別を選択可能とし、Ｎｏの場合は、主題図表示画面３１にて、それまでに設定した内容で、別途準備される主題データを用いて、主題図を表示するようになっている。この主題図表示画面３１は、地域毎色分け表示と、円グラフを重ねた状態の例である。主題図表示画面３１中の表示順設定部３２は、主題図の表示順を設定する画面である。
【００１２】
図３は、この発明の実施の形態１によるＧＩＳ表示装置の入力履歴登録機能を説明する説明図であり、図２を模式的に表した図である。
図３において、１３、１７は図１におけるものと、２１〜２３、３３は図２におけるものとそれぞれ同一のものである。入力履歴登録機能１３は、入力画面２１〜２３で入力された項目や、画面内の入力された順番を入力履歴１７に登録する。
【００１３】
図４は、この発明の実施の形態１によるＧＩＳ表示装置の入力履歴データを示す図である。
図４において、入力履歴１７には、ユーザ毎及び業務毎に、入力に用いられた画面番号、入力画面における選択結果、入力画面２４での入力値、及び入力時刻が格納されている。
【００１４】
図５は、この発明の実施の形態１によるＧＩＳ表示装置の入力履歴学習機能と画面制御機能を説明する説明図である。
図５において、１４、１５、１７は図１におけるものと、３１は図２におけるものとそれぞれ同一のものである。図５では、入力履歴学習機能１４により、入力履歴１７から画面表示する入力項目や、プルダウンで表示する入力項目の選出を行った後に、画面制御機能１５が、これらの選出された入力項目を配置した入力画面４１を生成する。この入力画面４１は、図２と比べて、入力項目が大幅に削減され、これへの入力によって主題図表示のための設定が行われ、主題図表示画面３１が表示される。
【００１５】
図６は、この発明の実施の形態１によるＧＩＳ表示装置の入力履歴学習機能のロジックを示す図である。
図６において、データ５１はステップＳ１で作成されたデータであり、データ５２はステップＳ２で作成されたデータであり、データ５３はステップＳ３で作成されたデータであり、データ５４はステップＳ４で作成されたデータである。
【００１６】
図７は、この発明の実施の形態１によるＧＩＳ表示装置の画面制御機能のロジックを示す図である。
図７において、５１は図６におけるものと同一のものである。ステップＳ１１にはデータ５１が入力され、ステップＳ１２には、入力項目ごとの入力エリアサイズを有するデータ６１が入力される。
【００１７】
次に、動作について説明する。
地図上で主題図を表示する場合、表示する地域の選択後に、人口や雨量などの主題を選択し、この選択された主題を元にして、グラフ表示や地域毎の色分けなどの表現種別等の
設定を行う。この設定は入力画面により行うが、その設定を行う際に、入力操作を入力履歴登録機能１３により蓄積し、この蓄積した入力履歴１７に基づき、入力履歴学習機能１４により操作を学習し、次いで、画面制御機能１５により、学習した内容により設定に用いられる入力項目の表示／非表示を制御するようにして、主題の表示のための設定作業の簡易化を図るようにしている。
以下、図を用いて詳細に説明する。
まず、図２を用いて、入力履歴学習機能を用いない場合の入力画面の遷移について説明する。
表示内容の設定の入力は、入力画面２１、入力画面２２、入力画面２３、入力画面２４、主題の重ね合わせ入力画面３０を順次、用いて行われる。主題の重ね合わせ入力画面３０で、主題の重ね合わせがＮｏになるまで、繰り返される。
入力画面２１では、横浜市、川崎市などのエリアを指定する。図では選択方式になっているが、ＧＩＳ上で矩形等により範囲を指定するようにしてもよい。入力画面２２では、人口、雨量などの主題を指定する。入力画面３では、主題の表現種別である、円グラフ、棒グラフ、地域別色分けなどを選択する。
【００１８】
入力画面２４では、入力画面２３で選択した主題の表現種別の詳細項目を設定する。図は、地域毎色分けの例を示している。一行で一つの範囲を設定し、それに対応する表示色を設定している。
入力画面２４の数値の入力エリア２５、２７は数値を入力し、範囲を設定するエリア２６、２８は、以上、以下、未満、より上、イコール等を入力して、範囲を設定する。エリア２９は、該当範囲を色設定する。すなわち、エリア２５〜２８で範囲を指定し、エリア２９でその範囲の表示色を指定するようになっている。この入力画面２４は、表現種別毎に存在する。
【００１９】
主題の重ね合わせ入力画面３０では、主題を重ね合わせするかどうかを決める。Ｙｅｓの場合は、重ね合わせる主題をさらに選択するために入力画面２２に戻り、他の主題や種別を選択し、Ｎｏの場合は、主題図表示画面３１にて、それまでに設定した内容で、主題データを用いて、主題図を表示するようになっている。この主題図表示画面３１は、地域毎色分け表示と、円グラフを重ねた状態の例である。
場合によっては、地域毎色分け表示の下にグラフが表示される場合があり、その場合は、表示順設定部３２により、ユーザにて主題図の表示順を変更し、グラフを上に表示するようにすることができる。
【００２０】
図２の各画面により入力された表示内容の設定は、図３に示されるように、入力履歴登録機能１３により、図４に詳細を示す入力履歴１７として、登録される。このとき、付加情報として、ユーザ名や業務名なども管理登録される。
【００２１】
次に、入力履歴学習機能１４と画面制御機能１５について、図５を用いて説明する。
これらは、入力履歴１７を利用して、より簡便な入力画面を形成するための機能である。
すなわち、入力履歴１７から、入力履歴学習機能１４により、入力画面に表示する入力項目や、プルダウンで表示する入力項目の選出を行った後に、画面制御機能１５により、選出された入力項目を配置して入力画面４１を生成する。入力履歴学習機能１４による学習の結果、図５の入力画面４１では、図２の各入力画面に比べて入力項目が大幅に削減されている。この簡易化された入力画面による設定を行って、主題図表示画面３１を表示することができる。
【００２２】
次に、図６により、入力履歴学習機能１４のロジックについて説明する。
入力履歴学習機能１４は、入力画面作成前に、ステップＳ１で入力履歴１７を学習する
。この学習では、入力画面１〜Ｎで、入力される入力項目（選択項目含む）について、入力された回数が、画面を開いた回数の５０パーセントを超えるようであれば、入力対象（画面表示対象）とする入力項目と判断して、入力画面４１に表示する入力項目の候補とし、これらを基にして、データ５１を作成する。データ５１では、入力項目として、横浜市、鎌倉市などの地域ごとに、画面表示候補には○を付し、画面表示候補以外には×を付している。
ステップＳ２では、ステップＳ１で、入力対象外となった入力項目について、過去データの平均値や、選択された回数が多い内容をデフォルト値として設定し、データ５２を作成する。データ５２では、主に表示種別の詳細項目設定が該当し、入力項目Ｂに対しては、過去平均値がデフォルト値として設定され、入力項目Ｅでは、青、赤、黄色などの最多選択項目がデフォルト値になっている。データ５２は、該当する入力項目の入力時に表示することによって入力の参考にする。
【００２３】
ステップＳ３では、主題と表示種別に関する入力項目間の関連を過去入力値より最適化する。この最適化には、主題Ａに対し、実際に主題図表示を行った表示種別の５０パーセントを超えるものを設定し、データ５３を作成する。データ５３では、人口（年齢別）に対応する表示種別として、円グラフ、棒グラフが設定され、人口（総人口）に対応する表示種別として地域毎塗り潰しや、ドット密度が設定される。
ステップＳ４では、表示種別の表示順を過去履歴より最適化する。これは過去主題図表示における表示順位の平均を用いて、データ５４を作成する。データ５４の表示順序は例えば、データ５３の人口（年齢別）に対する円グラフ、棒グラフの表示順序である。
【００２４】
次に、図７を用いて、画面制御機能１５のロジックについて説明する。
ステップＳ１１では、入力履歴学習機能１４による学習の結果、得られたデータ５１を入力とし、入力画面に表示する入力項目をリストアップする。ここでは、例えば図６のデータ５１では○の入力項目を表示する。なお、×の入力項目を表示させたいときは、別途設けたボタンを操作することにより行う。
次いで、ステップＳ１２で、入力画面の画面サイズを取得するとともに、データ６１の入力項目毎の入力エリアサイズを用いて、１画面に収まる入力項目の個数を計算し、各画面に表示する内容を自動生成する。この計算では、入力画面の縦サイズに入る範囲内で配置するようにする。
なお、上述では、データ５１のみ入力させたが、データ５２〜５４も同様に入力させると、これらの学習結果を反映した入力項目をリストアップすることができる。
これにより、入力履歴学習機能１４による学習の結果を用いた入力画面４１（図５）の自動生成が可能になる。
【００２５】
実施の形態１によれば、入力項目を過去の傾向より学習し、表示個数を制御することで、入力画面数、入力項目数、主題に対し、最適な表示種別を設定することができ、もって主題図作成における手間を削減することができる。
【００２６】
実施の形態２．
実施の形態２は、業務内容を考慮した画面制御を行うようにしたものである。
実施の形態２では、図６のステップＳ１で、現在の業務内容を条件として、データ５１を作成するようにする。現在の業務内容は、図４に示されるように、入力履歴１７の業務欄に格納されている。
これにより、業務ごとという、よりきめ細かな設定を行え、入力項目を絞ることができる。
なお、ここで業務とは、人口に関するものであれば、転出、転入管理業務であり、気象に関するものであれば、雨、雪の量や、風に関する管理業務であり、災害関係であれば、交通事故管理業務などである。
【００２７】
実施の形態２によれば、業務ごとに入力履歴学習機能による学習をさせるようにしたので、よりきめ細かな設定を行え、入力項目を絞ることができる。
【００２８】
実施の形態３．
実施の形態２では、業務内容を考慮した画面制御について述べたが、実施の形態３は、作業時期を考慮した画面制御を行うようにしたものである。
実施の形態３は、図６のステップＳ１で、現在時間を条件として、データ５１を作成するようにする。現在時間は、図４に示されるように、入力履歴１７の入力時期欄に格納されている年月日を用いる。
これにより、期間的に業務量が変動するケースに対応して、入力項目を絞ることができる。
【００２９】
実施の形態３によれば、期間を考慮した入力履歴学習機能による学習をさせるようにしたので、期間的に業務量が変動する場合でも、入力項目を絞ることができる。
【００３０】
なお、実施の形態２では業務内容を考慮した画面制御、実施の形態３では、作業時期を考慮した画面制御について述べたが、ユーザごとの画面制御を行うものであってもよい。
【００３１】
実施の形態４．
図８は、この発明の実施の形態４によるＧＩＳ表示装置の入力履歴データを用いた主題データの自動更新を示す図である。
図８において、１７は図１におけるものと同一のものである。図８では、入力履歴１７の中に記録されている履歴データを基にして、インターネット７１を介して、一般公開データの公開元であるクリアリングハウス７２にアクセスして、必要な主題データを取得し、ＧＩＳ表示装置が保有する主題データ７３を更新する。
【００３２】
入力履歴１７の中には、主題図として表示した「地域」や「主題」などが記録されている。これらを基にして、従来は、主題図表示のために必要となる主題データは、ユーザが必要に応じて、雨量データや人口データなどを取得し、ＧＩＳ表示装置が保有する主題データ７３を手作業で更新しているが、本発明では、入力履歴１７より、１度以上の表示が行われた「地域と主題」の情報を、インターネット７１経由で、クリアリングハウス７２から検索して自動取得する。これにより、主題データ７３を自動更新し、常に最新のデータで主題図を表示することが可能になる。
【００３３】
実施の形態４によれば、インターネットを介して主題データを自動更新するようにしたので、常に最新のデータで主題図を表示することが可能になる。
【００３４】
実施の形態５．
図９は、この発明の実施の形態５によるＧＩＳ表示装置の他システムとの連携を示す図である。
図９において、１１、１７は図１におけるものと同一のものである。ＧＩＳ表示装置１１は、他システム８１からの警報データ８２を取得する。
【００３５】
実施の形態５では、ＧＩＳ表示装置１１は、気象情報等の他システム８１と連携し、大雨等の警報が発令された場合に対応するものである。
従来は、大雨等の警報が発令された場合に、ユーザにて必要な主題図選択、重ね合わせを実施する必要があったが、実施の形態５では、過去の主題図作成の入力履歴１７を学習することにより、学習結果を用いて、雨に関する主題図を自動作成することが可能になる。この主題図には、雨量と洪水エリアの重ね合わせ主題図などが含まれる。
図９に示されるように、ＧＩＳ表示装置１１には、気象システムなどの他システム８１から、○○地域の大雨警報などの警報データ８２が転送される。ＧＩＳ表示装置１１は、「○○地域」、「雨量」に関する過去の主題図表示の入力履歴を、入力履歴１７から検索し、表示頻度の高い主題図を抽出し、ＧＩＳ表示装置１１上に自動表示する。
この自動表示のためのパターンを複数用意することもできる。
【００３６】
実施の形態５によれば、他システムの警報データをトリガとして、過去の主題図作成履歴から雨に関する主題図を自動作成することが可能になる。
【符号の説明】
【００３７】
１１  ＧＩＳ表示装置
１２  入力画面
１３  入力履歴登録機能
１４  入力履歴学習機能
１５  画面制御機能
１７  入力履歴
２１  入力画面１
２２  入力画面２
２３  入力画面３
２４  入力画面４
３０  主題の重ね合わせ入力画面
３１  主題図表示画面
３２  表示順設定部
３３  入力項目
４１  入力画面１
５１、５２、５３、５４  データ
６１  データ
７１  インターネット
７２  クリアリングハウス
７３  主題データ
８１  他システム
８２  警報データ
【図１】
2011242726.tif 000003
【図２】
2011242726.tif 000004
【図３】
2011242726.tif 000005
【図４】
2011242726.tif 000006
【図５】
2011242726.tif 000007
【図６】
2011242726.tif 000008
【図７】
2011242726.tif 000009
【図８】
2011242726.tif 000010
【図９】
2011242726.tif 000011